(57)【要約】ほぼ同様に形成された２つの内側の巻線部分（１）を有し、その場合に前記２つの内側の巻線部分（１）の間に巻かれていない部分（２）が設けられている、特に非接触で作動する誘導性の距離測定センサのための、センサコイルは、簡単かつ経済的に示すことのできる製造方法によって形成可能であって、それにもかかわらずこの分野を形成するセンサコイルのポジティブな特性を有しており、かつほぼ同様に形成された２つの外側の巻線部分（３）が設けられており、前記巻線部分がそれぞれ、前記２つの内側の巻線部分（１）の、前記巻かれていない部分（２）とは逆の側に配置されており、かつ前記２つの外側の巻線部分（３）が、前記２つの内側の巻線部分（１）よりも大きい巻線数を有していることを、特徴としている。
2005531004.tif 000002
【特許請求の範囲】
【請求項１】
ほぼ同様に形成されている２つの内側の巻線部分（１）を有し、その場合に前記２つの内側の巻線部分（１）の間に、巻かれていない部分（２）が設けられている、特に非接触で作動する誘導性の距離測定センサのための、センサコイルにおいて、
ほぼ同様に形成された２つの外側の巻線部分（３）が設けられており、前記巻線部分はそれぞれ、前記２つの内側の巻線部分（１）の、前記巻かれていない部分（２）とは逆の側に配置されており、かつ
前記２つの外側の巻線部分（３）が、前記２つの内側の巻線部分（１）よりも大きい巻き数を有していることを特徴とする、センサコイル。
【請求項２】
前記センサコイルの長手軸（４）の方向における前記外側の巻線部分（３）の幅が、前記内側の巻線部分（１）の幅よりもそれぞれ短く形成されていることを特徴とする請求項１に記載のセンサコイル。
【請求項３】
前記巻線部分（１、３）が、それぞれ一様なワイヤ巻線を有していることを特徴とする請求項１または２に記載のセンサコイル。
【請求項４】
前記内側の巻線部分と前記外側の巻線部分（１、３）の間に、それぞれ巻かれていない、ほぼ同様に形成された部分（５）が設けられていることを特徴とする請求項１から３のいずれか１項に記載のセンサコイル。
【請求項５】
前記センサコイルの特性が、前記巻かれていない領域（２）の幅、前記内側の巻線部分（１）の幅、前記内側の巻線部分（１）の巻線数、前記外側の巻線部分（３）の幅、前記外側の巻線部分（３）の巻線数および／または前記内側と前記外側の巻線部分（１、３）の間に設けられている、前記巻かれていない部分（５）の幅によって決定可能であることを特徴とする請求項１から４のいずれか１項に記載のセンサコイル。
【請求項６】
前記４つの巻線部分（１、３）のワイヤ巻線が、互いに接続されていることを特徴とする請求項１から５のいずれか１項に記載のセンサコイル。
【請求項７】
前記内側の巻線部分（１）のワイヤ巻線が、前記巻かれていない領域（２）を介して互いに接続されていることを特徴とする請求項１から６のいずれか１項に記載のセンサコイル。
【請求項８】
前記巻線部分（１、３）のワイヤ巻線の、ハーフブリッジ回路に相当する配線を特徴とする請求項６または７に記載のセンサコイル。
【請求項９】
前記巻線部分（１、３）のワイヤ巻線の、外側へ案内される３つの電気的端子（６、７）を特徴とする請求項１から８のいずれか１項に記載のセンサコイル。
【請求項１０】
前記電気的端子の２つ（６）が、センサコイルの給電に用いられ、前記第３の電気的端子（７）がセンサコイルの出力信号を取り出すために用いられることを特徴とする請求項９に記載のセンサコイル。
【請求項１１】
前記外側へ案内されている電気的端子（６、７）が、前記巻かれていない領域（２）内に配置されていることを特徴とする請求項９または１０に記載のセンサコイル。
【請求項１２】
対称に形成されているコイルボディ（８）を特徴とする請求項１から１１のいずれか１項に記載のセンサコイル。
【請求項１３】
前記コイルボディ（８）が、その長手軸（４）に関して軸対称に形成されていることを特徴とする請求項１２に記載のセンサコイル。
【請求項１４】
前記巻線部分（１、３）が、前記コイルボディ（８）の長手軸（４）と同軸に配置されていることを特徴とする請求項１２または１３に記載のセンサコイル。
【請求項１５】
前記センサコイルが中空に形成されており、かつ
測定対象が前記センサコイルの内部に、前記センサコイルの長手軸（４）の方向に沿って移動可能に配置されていることを特徴とする請求項１から１４のいずれか１項に記載のセンサコイル。
【請求項１６】
測定対象は、前記センサコイルを少なくとも部分的に包囲するように形成されており、その場合に前記測定対象が前記センサコイルの長手軸（４）の方向に沿って移動可能であることを特徴とする請求項１から１５のいずれか１項に記載のセンサコイル。
【請求項１７】
前記測定対象が、電気的に導通可能な材料を有していることを特徴とする請求項１５または１６に記載のセンサコイル。
【請求項１８】
前記測定対象が、磁気的な材料を有していることを特徴とする請求項１５から１７のいずれか１項に記載のセンサコイル。
【請求項１９】
距離測定センサにおいて、
請求項１から１８のいずれか１項に記載のセンサコイルを特徴とする距離測定センサ。
【発明の詳細な説明】
【技術分野】
【０００１】
本発明は、ほぼ同様に形成されている２つの内側の巻線部分を有する、特に非接触で作動する誘導性の距離測定センサのための、センサコイルに関するものであって、その場合に２つの内側の巻線部分の間に巻かれていない部分が設けられている。
【背景技術】
【０００２】
ここで本発明の主旨における巻線部分とは、センサコイルの所定の部分にわたってコイルワイヤが適切な巻き数で巻かれていることを意味している。具体的には、それはたとえば、モジュラー状にコイルボディ上に取り付けることのできる、巻線室とすることができる。２つの巻線部分は、本発明の枠内では、それらが他の構成部分によって包囲されるように展開されるので、簡単にするために２つの巻線部分をここですでに、内側の巻線部分と称する。
【０００３】
本発明はさらに、センサコイルを有する距離測定センサに関する。
【０００４】
原則的に、今日のプロセス自動化においては、圧倒的に距離測定センサないし距離測定システムは、比較的短い距離測定のために必要とされ、その場合にたとえば、移動するシステムコンポーネントの、固定的に配置されているシステムに対する相対位置が定められる。この種の測定領域のための典型的な規模は、５０ｍｍ以下である。産業の側の重要な要請は、測定領域が予め定められている場合に、距離測定センサをできるだけコンパクトにすることにある。というのは、多くの場合において提供される組込み空間は、極めて制限されているからである。まさにこの要請を、たとえば差動チョークまたは差動変圧器のような、現在市場で提供されている、通常比較的短い距離のために使用されるセンサは、しばしば十分な程度で満たしてはいない。これら既知のシステムにおいては、組立て長さは測定距離の約２．５倍である。
【０００５】
交流電流を供給される測定コイルおよび対応づけられている電気的および／または磁気的に導通する測定対象を基礎とする、非接触で作動する誘導性の距離測定センサは、距離測定技術において、極めて頻繁に使用される。市場では、それに応じたセンサが提供され、それらのセンサにおいて種々の方法が使用される。その場合に、たとえば比較的簡単に補償される温度行動のような、好ましい特性を有する対称のシステムが、極めて効果的であることが明らかにされている。これらのいわゆる差動システムにおける欠点は、センサの組立て長さに対する測定領域の比が好ましくないことであり、すなわちセンサの組立て長さは、通常測定領域よりも何倍も大きい。しばしば、産業の側からは、特に大きな個数のためのアプリケーションにおいて、できるだけコンパクトな寸法を有するセンサに対する要請がなされる。さらに、安価な形成と簡単な取扱いの意味において、わずかな接続導線しか必要としないシステムが望ましく、それによって配線もできる限り簡単にすることができる。従って、対称の誘導センサの利点が完全な範囲で利用され、さらに次の要請が考慮される、解決が望ましい：
−記録装置の極めてコンパクトな寸法
−わずかな接続導線
−簡単かつ経済的に形成できること
ＤＥ４１２８１５９Ａ１からは、構成部分の距離または回転角度を非接触で定めるための測定装置の形式の、この分野を形成するセンサコイルが知られている。このセンサコイルは、２つの巻線部分を有しており、そのワイヤ巻線はコイルの長手軸の推移において、内側から外側へ間隔が減少するように、−従って不均一に−１層で巻かれている。このように形成されたワイヤ巻線によって、ＤＥ４１２８１５９Ａ１から知られた測定装置により、測定領域全体にわたって線形の校正特性曲線を有する測定信号が得られる。このセンサコイルにおいては、測定領域に対する組立て長さの比は、極めて好ましい。
【０００６】
実際においては、ＤＥ４１２８１５９Ａ１から知られている測定装置のコンセプトを転換することは困難であって、複雑な製造方法でしか実現できない。というのは、不均一な巻線は特殊で複雑な巻付け機械を用いて、そして多大なプログラミングの手間を用いてしか、実現できないからである。従って様々な特性を有する−たとえば種々の巻き方を有する−センサコイルを小さい個数で形成することを、経済的に示すことはできない。
【発明の開示】
【発明が解決しようとする課題】
【０００７】
従って本発明の課題は、簡単かつ経済的に示すことのできる製造方法で形成することができ、しかもこの分野を形成するセンサコイルの好ましい特性を有している、この分野を形成する種類のセンサコイルを提供し、かつ展開することである。
【課題を解決するための手段】
【０００８】
この分野を形成する種類の本発明に基づくセンサコイルは、上述した課題を、特許請求項１の特徴によって解決する。それによれば、この種のセンサコイルは、ほぼ同様に形成された２つの外側の巻線部分が設けられており、前記巻線部分がそれぞれ、２つの内側の巻線部分の、巻かれていない部分とは逆の側に配置されており、かつ２つの外側の巻線部分が２つの内側の巻線部分よりも大きい巻線数を有していることを特徴としている。
【０００９】
本発明によれば、まず設けられる内側の巻線部分に、均一な、ないしは従来の巻きが設けられる場合には、センサコイルの不均一な巻きとそれに伴って複雑な巻線機械の使用を省くことができることが、認識された。ＤＥ４１２８１５９Ａ１から知られているセンサコイルの電磁場の比較し得る特性は、２つの内側の巻線部分よりも大きい巻線数を有する、ほぼ同様に形成された２つの付加的な外側の巻線部分を設けることによって達成される。それによって、本発明に基づくセンサコイルの電磁場は、中央の領域において、そこに巻かれていない部分が設けられていることによって弱くなるように形成されている。それに対して本発明に基づくセンサコイルの外側の領域内では、より大きい巻線数を有する２つの外側の巻線部分に基づいて、電磁場はより強く形成される。それによって好ましいやり方で−少なくとも部分的に−、もたらされる測定信号のほぼ線形の推移を得ることができる。
【００１０】
２つの外側の巻線部分も、均一な巻線を有しているので、特に好ましい方法で、巻きの隣りに巻きが形成される、従来の巻線技術を利用することができ、従って本発明に基づくセンサコイルを形成するのに簡単な巻線機械を使用することができる。それによって、さらに好ましい方法で、それぞれの巻線部分内により多い数の巻き層を形成することができ、それによってそこからもたらされるセンサコイルのインピーダンスをそれに応じて高く選択することができる。それによっても、特に好ましい方法で、センサコイルの高い信号感度と高い信号伝送特性を得ることができる。このことも、０．１５％よりも小さい線形エラーとそれによって得られる測定結果の極めて良好な再現性とを有する高精密な距離測定センサの形成を可能にする。最終的に、本発明に基づくセンサコイルは、複雑な製造方法に高い投資を行うことなしに、小さい個数でも形成することができ、その場合に経済的には、異なる特性を有する異なるように構成されたセンサコイルを、それぞれ小さい個数と中くらいの個数でも形成することは、極めて興味深い。
【００１１】
外側の巻線部分は、特に、本発明に基づくセンサコイルの電磁場をその外側の終端領域において合焦させ、ないしは高めるために用いられる。好ましい実施形態においては、センサコイルの長手軸の方向における外側の巻線部分の幅は、それぞれ内側の巻線部分の幅よりも短く形成されている。それによって外側の巻線部分を場所をとらないように形成しながら、さらに好ましい方法で、センサコイルないしは対応する距離測定センサの良好な測定特性を有する、電磁場分布を実現することができる。
【００１２】
具体的な実施形態においては、巻線部分はそれぞれ一様なワイヤ巻線を有している。そのワイヤ巻線は、従来の、従って巻線と巻線、層と層が並べて巻かれている、コイル巻線とすることができる。従って−すでに説明したように−従来の巻線機械を本発明に基づくコイルを形成するのに使用することができ、そのことが好ましい方法でセンサコイルの製造コストを著しく削減する。
【００１３】
本発明に基づくセンサコイルの特性は、内側と外側の巻線部分の間にそれぞれ、ほぼ同様に形成された巻かれていない部分が設けられていることによっても、調節することができる。これら２つの巻かれていない部分は、その幅において、それらが内側と外側の巻線部分間を仕切るためだけでなく、より幅広く形成することもできるような寸法に設計することができる。
【００１４】
原則的に、本発明に基づくセンサコイルの特性は、その特徴的な変量によっても決定可能である。それに数えられるのは、特に、巻かれていない領域の幅、内側の巻線部分の幅、内側の巻線部分の巻線数、外側の巻線部分の幅、外側の巻線部分の巻線数および／または内側と外側の巻線部分の間に設けられている、巻かれていない領域の幅である。センサコイルの横断面と、場合によっては設けられている、所定の透磁率のコイルコアも、同様にセンサコイルの特徴的な変量である。従ってセンサコイルの特徴的な変量を然るべく選択することによって、センサをそれぞれのアプリケーションに最適に適合させることができる。特に、内側の巻線部分の巻線数に対する外側の巻線部分の巻線数の比は、その他のセンサコイル幾何学配置を変化させずに、センサコイルを所定のアプリケーション用に構成するために変化させることのできる、変量である。従って、様々なアプリケーションのためにそれに応じて構成された本発明に基づくセンサコイルを、好ましい方法で小さい個数においても用意することができる。
【００１５】
特に好ましい実施形態においては、４つの巻線部分のワイヤ巻線が互いに接続されている。これは、たとえば、１本の同じワイヤを使用することによって実現することができ、そのワイヤは巻線機械によってそれに応じたようにコイル上へシーケンシャルに、４つの巻線部分になるように巻くことができる。個々の巻線部分をそれぞれ専用のワイヤによって形成することも、同様に考えられ、その場合に個々の巻線部分のワイヤは、他の製造段階において互いに接続される。特に後者の場合においては、内側の巻線部分のワイヤ巻線は、巻かれていない部分を介して互いに接続されている。内側と外側の巻線部分の間にそれぞれ巻かれていない部分が設けられている場合には、内側の巻線部分のワイヤ巻線をそれぞれこれらの巻かれていない部分を介して外側の巻線部分のワイヤ巻線と接続することができる。
【００１６】
本発明に基づくセンサコイルは、巻線部分のワイヤ巻線の、ハーフブリッジ回路に相当する接続を介して駆動することができる。たとえばＤＥ４１２８１５９Ａ１から知られており、単に巻線部分がそれぞれハーフブリッジ回路の半分を形成するだけの、センサコイルの従来のハーフブリッジ回路に対する差は、ハーフブリッジ回路の各半分のために、それぞれ他の−外側の−巻線部分が設けられていることである。ハーフブリッジ回路によって駆動されるセンサコイルは、好ましい方法で、差動チョークにとって一般的な回路によって駆動することができる。
【００１７】
センサコイルを具体的に実現するために、４つの巻線部分のワイヤ巻線を１本の同じワイヤによってつなげて巻くことができ、その場合にこのようにして巻かれたセンサコイルの２つの外側のワイヤ端部は、電気的な端子として用いられる。全体として、本発明に基づくセンサコイルは、巻線部分のワイヤ巻線の、外側へ案内された３つの電気的端子を有している。その場合に電気的端子の２つは、センサコイルに給電するために用いられる。第３の電気的端子は、センサコイルの出力信号を取り出すために用いられ、その場合にこの端子は、２つの内側の巻線部分をワイヤ接続する場合に、その間に位置する巻かれていない部分内に設けることができる。外側の２つのワイヤ端部は、同様に内側の巻かれていない部分内へ案内することができるので、外側へ案内される電気的な端子は、全体として巻かれていない部分内に配置されている。それによって好ましい方法で、本発明に基づくセンサコイルを該当する電子回路と簡単に配線することが可能である。
【００１８】
それぞれ内側ないし外側の巻線部分が同様に形成されており、かつ内側と外側の巻線部分が２つの内側の巻線部分の間に設けられている、巻かれていない部分に関して対称に配置されていることによって、対称に形成されたコイルボディを使用することが提供され、そのコイルボディ上に巻線部分が取り付けられる。コイルボディは、それぞれのアプリケーションに従って線形、円弧状または円形に形成することができる。特に、コイルボディは、その長手軸に関して軸対称に、従ってたとえば円筒状または中空円筒状に、あるいは正方形または多角形の横断面で形成することができる。
【００１９】
原則的に、巻線部分はコイルボディの長手軸と同軸に配置される。コイルボディが円筒状に形成されている場合には、同様に円筒状に形成された巻線部分を、コイルボディの円筒軸と同軸に配置することができる。
【００２０】
本発明に基づくセンサコイルを有する距離測定センサは、原理的に、２つの異なる実施形態で形成することができる。すなわち、本発明に基づくセンサコイルと協働する測定対象をセンサコイルの内部または外部に移動可能に配置することができ、その場合に測定対象を移動されるシステムコンポーネントに、そしてセンサコイルを固定的に配置されたシステムに対応づけることができる。
【００２１】
第１の場合においては、センサコイルは中空に形成されており、測定対象はセンサコイルの内部にセンサコイルの長手軸の方向に沿って移動可能に配置されている。その場合には、距離測定センサは半径方向に極めてわずかな空間しか必要とせず、測定対象はコイルボディによって保護される。第２の場合においては、測定対象を、それがセンサコイルを少なくとも部分的に包囲するように形成することができ、その場合に測定対象はセンサコイルの長手軸の方向に沿って移動することができる。円筒状のセンサコイルの場合には、センサコイルを包囲する、リング状に形成された測定対象が考えられる。
【００２２】
本発明に基づくセンサコイルは、１つには、渦電流原理に従って作動することができる。そのために測定対象は、電気的に導通可能な材料を有するように、形成される。すなわちセンサコイルに高周波の渦電流が流されると、センサコイルに電磁場が発生し、その電磁場が測定対象の電気的に導通可能な材料内に渦電流を誘起する。測定対象内に誘起された渦電流によって、センサコイルの交流電圧抵抗は、センサコイルに対する測定対象の相対位置に従って、センサコイルのインダクタンスの該当する変化により変化され、それを測定信号を形成するために利用することができる。
【００２３】
他方で、本発明に基づくセンサコイルを誘導的な測定方法に従って駆動することができる。そのためには、測定対象は磁気的な材料を有する。誘導的な測定方法においては、センサコイルのインダクタンスが測定対象の磁気的特性とセンサコイルに対する測定対象の相対位置とに従ってそれに応じて変化される。測定対象が電気的に導通する材料も、磁気的な材料も有している場合には、２つの方法の組合わせも考えられる。
【００２４】
すでに説明したように、距離測定センサは、請求項１から１８のいずれか１項に記載された、本発明に基づくセンサコイルを有するように、構成される。この種の距離測定センサは、通常センサコイルの他にさらに、測定対象と、センサコイルに給電し、かつセンサコイルの出力信号を取り出すための、適切な電子駆動装置を有する。
【００２５】
本発明に基づくセンサコイルの利点を、再度要約して説明する。
【００２６】
本発明に基づくセンサコイルは、特に、コイル巻線の直径に対するコイル巻線の長さの比が、通常１０より下の、小さいセンサ測定領域に適している。センサコイルは、完全な範囲において、誘導性の差動システムの利点を有している。３つの端子のみが必要とされる。５０ｍｍより下の測定領域を有する距離測定センサのためには、距離測定センサの組立て長さに対する距離測定センサの測定領域の、たとえば１．５より下の、極めて良好な比が得られる。比較的大きいコイル直径を有するセンサコイルの場合には、これはより大きい測定領域についても当てはまる。センサコイルの中央の巻かれていない部分は、接続ワイヤを接触させるために使用することができ、それによってさらにスペース削減と距離測定センサの対称な構造が得られる。
【００２７】
距離測定センサの経済的かつコスト的に好ましい形成が可能であって、その場合に距離測定センサは、たとえば線形性と温度行動のような、極めて良好な技術的データを有している。ＬＶＤＴ−利用のため−測定対象がセンサコイルの内部にある−とポテンショメータ的な利用のため−測定対象がセンサコイルを包囲している−のフレキシブルな使用が可能である。測定対象の強磁性材料も、非強磁性材料も使用することができる。距離測定センサは、差動チョークの回路技術によって、駆動することができる。
【００２８】
センサコイルのコンパクトな組立て大きさ、簡単な巻きコンセプトおよび極めて簡単な電気的インターフェースは、特に小さい個数、中くらいの個数および大きな個数を有する利用のために、本発明に基づくセンサコイルと距離測定センサの経済的な利点を認識させる。
【００２９】
本発明の教示を好ましい方法で形成し、かつ展開する種々の可能性がある。それについては一方で、特許請求項１に従属する特許請求項を、そして他方では図面による本発明の好ましい実施例についての、以下の説明を参照するように指示する。図面を用いての、本発明の好ましい実施例の説明と組み合わせて、教示の一般的に好ましい形態と展開についても説明する。
【発明を実施するための最良の形態】
【００３０】
唯一の図は、ほぼ同様に形成された２つの内側の巻線部分１を有するセンサコイルを示しており、それら巻線部分は巻線室の形状で形成されている。２つの内側の巻線部分１の間には、巻かれていない部分２が設けられている。
【００３１】
本発明によれば、ほぼ同様に形成された２つの外側の巻線部分３が設けられており、それら巻線部分はそれぞれ２つの内側の巻線部分１の、巻かれていない部分２とは逆の側に配置されている。２つの外側の巻線部分３は、２つの内側の巻線部分１よりも大きい巻き数を有している。従って本発明に基づくセンサコイルは、対称に、すなわち巻かれていない部分２に関して対称に、構築されている。
【００３２】
センサコイルの破線で示す長手軸４の方向における外側の巻線部分３の幅は、内側の巻線部分１の幅よりもそれぞれ短く形成されている。外側の巻線部分３は、内側の巻線部分１よりも大きい巻き数を有しているので、唯一の図に示唆される、外側の巻線部分３の半径方向の広がりは、内側の巻線部分１のそれよりも大きい。
【００３３】
内側と外側の巻線部分１と３の間には、それぞれ巻かれていない、ほぼ同様に形成された部分５が設けられている。
【００３４】
４つの巻線部分１、２は、１本のワイヤによって巻かれている。このワイヤは、右の電気的端子６から右の外側の巻線３へ延び、そこから−適当に巻かれた後に−右の内側の巻線部分１へ、その後−同様に適当に巻かれた後に−巻かれていない領域２を介して左の内側の巻線部分１へ、その後左の外側の巻線部分３へ延びて、最終的に左の電気的端子６へ延びている。
【００３５】
センサコイルは、ハーフブリッジ回路を有する３つの電気的端子６、７に接続することができる。そのために、４つの巻線部分１、３のワイヤ巻線の外側へ案内されている３つの端子６、７が設けられている。その場合に２つの電気的端子６は、センサコイルに給電するために用いられ、第３の電気的端子７は、出力信号を取り出すために用いられる。外側へ案内されている３つの端子６、７は、巻かれていない部分２内に配置されている。
【００３６】
本発明に基づくセンサコイルのコイルボディは対称に、特にその長手軸４に関して回転対称に、形成されている。コイルボディ８は、センサコイルの右の端部から左の端部へ延びている。簡単にするために、コイルボディ８の終端領域のみが示されている。巻線部分１、３は、コイルボディ８の長手軸４と同軸に配置されている。
【００３７】
コイルボディの予め定められた幾何学配置において、巻かれていない部分２の適切な幅の選択と組合わせ、かつ存在している測定対象に合わせて、「（外側の巻線部分３の巻数）／（内側の巻線部分１の巻数）」の比を適合させることによって、センサの最適な設計が行われる。上述した適合によって、コイル内部の電磁場が長さ全体にわたって束ねられる。従って実際には、センサコイルの長さ全体が測定領域として提供される。
【００３８】
「組立て長さ／測定領域」の極めて好ましい比を有する、本発明に基づく距離測定センサの主要特性は、コイルコンセプトによって達成される。既知の誘導性のハーフブリッジ（差動チョーク）とは異なり、２つの対称に構築された巻線部分が２つの比較的短い巻線部分によって分割される。それによって、４つの巻線部分を有するシステムが得られる。他の差違は、２つの内側の巻線部分１の間に、巻かれていない部分２が存在していることにある。
【００３９】
予め定められたセンサ幾何学配置のためにセンサコイルを考える際に重要なことは、巻かれていない部分２の幅の寸法決めおよび測定対象と組み合わせて、外側の巻線部分３と内側の巻線部分１の間の巻き数の比である。センサの内部において場は、通常は最大が存在することになる、センサコイルの中心において、巻かれていない部分２によって場が弱められるように、調節される。それに対してセンサコイルの両方の端縁領域においては、場は、より多い巻き数で巻かれた外側の巻線部分３によって、それに応じて合焦される。この措置によって、センサの内部に均一な場の推移を得ることができる。上述したパラメータを適当に同調させる場合には、実際にコイル長さ全体が、線形の測定領域として提供される。従って非線形の特性を有するセンサをさらに回路技術的に複雑に線形化する必要はない。
【００４０】
最後に特に、上述した実施例は、保護請求されている教示を説明するためだけに用いられるものであって、教示がこの実施例に限定されるものではないことを、述べておく。
【図面の簡単な説明】
【００４１】
【図１】本発明に基づくセンサコイルの実施例を概略的に示している。
【図１】
2005531004.tif 000003
【手続補正書】
【提出日】平成16年11月25日(2004.11.25)
【手続補正１】
【補正対象書類名】図面
【補正対象項目名】図１
【補正方法】変更
【補正の内容】
【図１】
2005531004.tif 000004
【国際調査報告】
2005531004.tif 000005
2005531004.tif 000006
2005531004.tif 000007
2005531004.tif 000008